(57)【要約】【課題】臨時事務所や売店用ハウス等に好適であって、複数のコンテナを作業性良く強度十分に現場にて連結一体化できるようにして、施工時間が短くて廉価であり、しかも連結強度も十分とすることが可能となり、実用性に優れるコンテナハウス並びにその作成方法を実現して提供する。【解決手段】直方体を為し、かつ、少なくとも一つの側面ｒｍがその両端に梁８，９を有する連結面に構成される複数のコンテナＣＲ，Ｃ１〜Ｃ３，ＣＬと、連結面ｒｍどうしを対向させて複数のコンテナＣＲ，Ｃ１〜Ｃ３，ＣＬを並べて連結一体化すべく、隣合う梁どうし８，９を、コ字状の挟み具と雄ネジとを有する万力構造でもって互いに離れないように相対固定する連結手段Ｒとを有してコンテナハウスＡを構成する。【選択図】図５
2008261160.tif 000002
【特許請求の範囲】
【請求項１】
直方体を為し、かつ、少なくとも一つの側面がその両端に梁を有する連結面に構成される複数のコンテナと、
前記連結面どうしを対向させて前記複数のコンテナを並べて連結一体化すべく、隣合う前記梁どうしを互いに離れないように相対固定する連結手段と、
を有して成るコンテナハウス。
【請求項２】
前記連結手段が、前記隣合う梁どうしのうちの一方の梁に回り込む第１挟み部と他方の梁に回り込む第２挟み部とを有して前記隣合う梁どうしに外装される挟み具と、前記第１挟み部と前記第２挟み部と互いに押付けあう押圧機構と、を備えて構成されている請求項１に記載のコンテナハウス。
【請求項３】
前記挟み具が、これが角パイプ製の前記梁に外装される状態での梁長手方向視でコ字状に形成され、前記押圧機構が、前記第２挟み部を前記第１挟み部に向けて強制移動させる雄ネジを前記挟み具に設けることで構成されている請求項２に記載のコンテナハウス。
【請求項４】
前記連結手段が、隣合う前記梁どうしに亘って架設される連結板と、この連結板と各梁とに跨って溶接されることによる溶着部とで構成されている請求項１に記載のコンテナハウス。
【請求項５】
前記コンテナは、隣合う一対の梁に亘って架設される壁部を有し、前記壁部を前記梁における外側に寄せて配置することで前記梁の室内側部分を露出させ、前記梁の室内側露出部分に前記連結手段を装着可能に構成されている請求項１〜４の何れか一項に記載のコンテナハウス。
【請求項６】
直方体を為し、かつ、少なくとも一つの側面がその両端に梁を有する連結面に構成される複数のコンテナ、及び隣合う前記梁どうしを互いに離れないように相対固定する連結手段の複数とを用意し、
前記連結面どうしが対向するように前記コンテナを隣り合わせて並べてから、各前記連結面が対向配備されることで隣合う梁どうしを前記連結手段を用いて連結させるコンテナハウスの作成方法。
【請求項７】
前記連結手段として、前記隣合う梁どうしのうちの一方の梁に回り込む第１挟み部と他方の梁に回り込む第２挟み部とを有してコ字状又は略コ字状を呈する挟み具と、前記第１挟み部と前記第２挟み部と互いに押付けあうための雄ネジとを設けて成る万力構造のもの、或いは、隣合う前記梁どうしに亘って架設される連結板と、この連結板と各梁とに跨って溶接されることによる溶着部とで構成されるものである請求項６に記載のコンテナハウスの作成方法。
【発明の詳細な説明】
【技術分野】
【０００１】
本発明は、据付現場にて比較的簡単に組付け施工でき、しかも廉価に構築することができるコンテナハウス及びその作成方法に関するものである。
【背景技術】
【０００２】
コンテナハウスは、工場で組み立てられるコンテナ（単位コンテナ）の複数を、設置現場にて連結一体化することで成る構造体であり、事務所や簡易ハウス、倉庫、店舗等を比較的低コストで構築することができる。また、コンテナハウスは、法律上は建築物ではなく設置物として扱われていて税制上のメリットもあることから、そのニーズが高まってきている。
【０００３】
コンテナハウスを構成するためのコンテナは、側壁に窓や出入り口等の開口を設ける等して予め工場で内装や外装が仕上げられるとともに、輸送を考慮してトラック荷台に搭載可能な大きさに設定されることが多く、種々の形状や大きさが可能である。また、単位コンテナとして、規格化されて所定の強度を有する頑丈で、かつ、安価に作られている輸送用コンテナを用いる手段も考えられる。
【０００４】
従来のコンテナハウスとしては、特許文献１や２において開示されたものが知られている。特許文献１に示されるコンテナハウスは、直方体を為すコンテナの一対を、それらの長手方向に沿う長側面どうしが向い合う状態で並列接続することで構成されるものであり、隣合う縦梁の下端部どうしをスペーサを用いてのボルト・ナットによって連結一体化させる手段を開示している。また、特許文献２に示されるコンテナハウスは、トラス屋根を備える大規模な構造物を構築すべく、コンテナを前後直列方向に接続するとともに上下にも積み上げる三次元接続構造体を、所定の間隔をおいて並列配置する構成を開示している。
【０００５】
しかしながら、特許文献１のコンテナハウスでは、縦梁の下端部どうしが連結されるのみであり、隣合うコンテナどうしをしっかりと一体化するには、縦梁の上部等、コンテナの接合側面におけるその他の部分も連結させることが必要になるが、それらに関しては何ら開示されていない。また、特許文献２のコンテナハウスでは、強度問題をどうするかについて言及されているだけであり、隣合うコンテナどうしをどのように連結するかに関する構造については開示していないものであった。従って、コンテナハウスを現場にて強度十分に、そして作業性良く隣合うコンテナどうしを連結一体化させる手段や方法に関しては、今後の課題であった。
【特許文献１】特開２００４−２５７１１５号公報
【特許文献２】特開２００１−１１５５５９号公報
【発明の開示】
【発明が解決しようとする課題】
【０００６】
本発明の目的は、上述した実情に鑑みることにより、臨時事務所や売店用ハウス等に好適であって、複数のコンテナを作業性良く強度十分に現場にて連結一体化できるようにして、施工時間が短くて廉価であり、しかも連結強度も十分とすることが可能となり、実用性に優れるコンテナハウス並びにその作成方法を実現して提供する点にある。
【課題を解決するための手段】
【０００７】
請求項１に係る発明は、コンテナハウスにおいて、
直方体を為し、かつ、少なくとも一つの側面がその両端に梁８，９を有する連結面ｒｍに構成される複数のコンテナＣと、
前記連結面ｒｍどうしを対向させて前記複数のコンテナＣを並べて連結一体化すべく、隣合う前記梁どうし８，８、９，９を互いに離れないように相対固定する連結手段Ｒと、
を有して成ることを特徴とするものである。
【０００８】
請求項２に係る発明は、請求項１に記載のコンテナハウスにおいて、前記連結手段Ｒが、前記隣合う梁どうし８，８、９，９のうちの一方の梁８，９に回り込む第１挟み部２０ａと他方の梁８，９に回り込む第２挟み部２０ｂとを有して前記隣合う梁どうし８，８、９，９に外装される挟み具２０と、前記第１挟み部２０ａと前記第２挟み部２０ｂと互いに押付けあう押圧機構２１と、を備えて構成されていることを特徴とするものである。
【０００９】
請求項３に係る発明は、請求項２に記載のコンテナハウスにおいて、前記挟み具２０が、これが角パイプ製の前記梁８，８、９，９に外装されている状態における梁長手方向視でコ字状に形成され、前記押圧機構２１が、前記第２挟み部２０ｂを前記第１挟み部２０ａに向けて強制移動させる雄ネジ２２を前記挟み具２０に設けることで構成されていることを特徴とするものである。
【００１０】
請求項４に係る発明は、請求項１に記載のコンテナハウスにおいて、前記連結手段Ｒが、隣合う前記梁どうし８，８、９，９に亘って架設される連結板２５と、この連結板２５と各梁８，８、９，９とに跨って溶接されることによる溶着部２６とで構成されていることを特徴とするものである。
【００１１】
請求項５に係る発明は、請求項１〜４の何れか一項にに記載のコンテナハウスおいて、前記コンテナＣは、隣合う一対の梁８，８、９，９に亘って架設される壁部１５を有し、前記壁部１５を前記梁８，８、９，９における外側に寄せて配置することで前記梁８，８、９，９の室内側部分を露出させ、前記梁８，８、９，９の室内側露出部分に前記連結手段Ｒを装着可能に構成されていることを特徴とするものである。
【００１２】
請求項６に係る発明は、コンテナハウスの作成方法において、
直方体を為し、かつ、少なくとも一つの側面がその両端に梁を有する連結面ｒｍに構成される複数のコンテナＣ、及び隣合う前記梁どうし８，８、９，９を互いに離れないように相対固定する連結手段Ｒとを用意し、
前記連結面どうしｒｍ，ｒｍが対向するように前記コンテナＣを隣り合わせて並べてから、各前記連結面ｒｍ，ｒｍが対向配備されることで隣合う梁どうし８，８、９，９を前記連結手段Ｒを用いて連結させることを特徴とするものである。
【００１３】
請求項７に係る発明は、請求項６に記載のコンテナハウスの作成方法において、前記連結手段Ｒとして、前記隣合う梁どうし８，８、９，９のうちの一方の梁８，９に回り込む第１挟み部２０ａと他方の梁８，９に回り込む第２挟み部２０ｂとを有してコ字状又は略コ字状を呈する挟み具２０と、前記第１挟み部２０ａと前記第２挟み部２０ｂと互いに押付けあうための雄ネジ２２とを設けて成る万力構造のもの、或いは、隣合う前記梁どうし８，８、９，９に亘って架設される連結板２５と、この連結板２５と各梁８，８、９，９とに跨って溶接されることによる溶着部２６とで構成されるものであることを特徴とするものである。
【発明の効果】
【００１４】
請求項１の発明によれば、コンテナハウスは、複数のコンテナを、それらの梁どうしに作用する連結手段を用いて連結することで構成されるから、工場において予めコンテナを作成しておき、それら作成されたコンテナを現場に運び、それから連結手段を用いてコンテナどうしを連結し、コンテナハウスに仕上げることが可能になる。その結果、臨時事務所や売店用ハウス等に好適であって、複数のコンテナを作業性良く強度十分に現場にて連結一体化できるようにして、施工時間が短くて廉価であり、しかも連結強度も十分とすることが可能となり、実用性に優れるコンテナハウスを提供することができる。この場合、請求項２のように、現場にて作業し易いように、連結手段を、隣合う梁どうしを押付けあって相対固定すべく挟み具と押圧機構とから構成することができる。
【００１５】
請求項３にように、梁が角パイプ製である場合には、挟み具をコ字状のものとして梁側面からあまり突出しないように沿わせて配置することができ、強度上及び外観上で有利な連結手段とすることができるとともに、挟み具における第１挟み部と第２挟み部とを互いに押付け合う押圧機構を、挟み具に設けられる雄ネジを用いて構造簡単で廉価に構成することができて好都合である。また、雄ネジの回し操作によって連結手段が着脱可能となるので、例えば、コンテナハウスを互いに場所の異なる何箇所かの現場にて繰返し使用することができる等、コンテナハウスの組付け及び解体を反復して行える便利さがある。
【００１６】
請求項４の発明によれば、隣合う梁どうしを、これらに跨る連結板と溶着させることによって連結一体化させる連結手段であり、挟み具を用いる連結手段に比べて、連結手段が突出しないように（目立たないように）設けることができるとともに、より強固に一体させることが可能となる利点がある。例えば、一箇所に長期間設営し続けるような使い方のコンテナハウスとして好適である。
【００１７】
請求項５の発明によれば、コンテナどうしを一体化する連結手段が室内側に装備されて外からは見えないようにすることができるので、連結機能はそのままでコストアップも無く外観（見栄え）を向上させることができる合理的なコンテナハウスを提供することができる。
【００１８】
請求項６の発明によれば、請求項１の発明による作用や効果と同等の作用や効果を奏することができるコンテナハウスの作成方法を提供することができる。その場合に用いる連結手段は、請求項７のように、コ字状やＵ字状の挟み具を有する万力構造のものは、連結板を用いて溶着させる手段を適宜に選ぶことができる。
【発明を実施するための最良の形態】
【００１９】
以下に、本発明によるコンテナハウス及びその作成方法の実施の形態を、図面を参照しながら説明する。図１〜図５は実施例１によるコンテナハウス、図６は万力構造の連結手段、図７は各種コンテナを示す斜視図、図８は中間用コンテナの基本構造を示す各図、図９は左及び右端用コンテナの側壁構造を示す各図、図１０は連結手段の別構造を示す図、図１１は実施例２のコンテナハウスの間取りを示す平面図である。
【００２０】
〔実施例１〕
本発明の実施例１によるコンテナハウスＡは、図１〜図５に示すように、直方体を為す５体のコンテナ（単位コンテナ）Ｃを横並列に連結して成る平屋建て構造のセールスルームに構成されている。５体のコンテナＣは、１体の左端用コンテナＣＬと、３体の中間用コンテナＣ１〜Ｃ３と、一体の右端用コンテナＣＲとが用いられており、これらコンテナＣを連結手段Ｒ（図６参照）を用いて左右方向に連結一体化した状態でコンクリート床１の上に載置固定されてセールスルームＡに構成されている。
【００２１】
セールスルームＡの内部は、図５に示すように、左端用コンテナＣＬに設置される男用及び女用の各便所２，３、主に第１中間用コンテナＣ１に配置される平面視でＬ字状のカウンター机４を備えるとともに、主に左端用コンテナＣＬ部分に相当する事務スペース５と、主に第２，３中間用コンテナＣ２，Ｃ３及び右端用コンテナＣＲに相当するセールススペース３２を設けて構成されている。
【００２２】
セールスルームＡの正面には、図２に示すように、左端用コンテナＣＲと第２中間用コンテナＣ２とに形成される引戸型の出入口６，６、及び残り３体のコンテナＣ１，Ｃ３，ＣＲに形成される計３組の引き違い型の窓７が装備されている。セールスルームＡの背面には、図３に示すように、左端用コンテナＣＬ以外の４体のコンテナＣ１，Ｃ２，Ｃ３，ＣＲのそれぞれに形成される計４組の引き違い型の窓７が装備されている。セールスルームＡの左側面には、図４（ａ）に示すように、事務スペース５に位置する窓７が装備され、右側面には図４（ｂ）に示すように、２組の窓７，７が装備されている。また、天井面には図３及び図１に仮想線で示すように、波板（波形鋼等）を用いた片流れ式の屋根Ｙが装備されている。
【００２３】
左端用コンテナＣＬは、図７（ａ）に示すように、前壁（正面壁）ｗ１、後壁（背面壁）ｗ２、天井壁ｗ３、及び左側壁ｗ４の４壁（４面）を有する４壁構造体に構成されている。中間用コンテナＣ１〜Ｃ３は、図７（ｂ）に示すように、前壁ｗ１、後壁ｗ２、及び天井壁ｗ３の３壁（３面）を有する３壁構造体（例えば、ラーメン構造）のに構成されている。右端用コンテナＣＲは、図７（ｃ）に示すように、前壁ｗ１、後壁ｗ２、天井壁ｗ３、及び右側壁ｗ５の４壁（４面）を有する４壁構造体に構成されている。尚、図７は、各コンテナＣＬ，Ｃ１〜Ｃ３，ＣＲを模式的に示したものである。
【００２４】
中間用コンテナＣ１〜Ｃ３は互いに同一の基本骨格を有するものであり、第１中間用コンテナＣ１を用いてその構造について説明する。図８に示すように、第１中間用コンテナＣ１は、前壁ｗ１の左右端に位置する一対の長縦梁８，８、後壁ｗ２の左右端に位置する一対の短縦梁９，９、長縦梁８，８の下端部及び上端部どうし及び短縦梁９，９の下端部及び上端部どうしを連結する計４本の短横梁１０、長縦梁８，８と短縦梁９，９との上端部どうしを連結する左右一対の長横梁１１，１１、及び左右一対の長横梁１１，１１どうしを連結する計３本の天井横臥梁１２を有する剛結構造の枠組体に構成されている。尚、図１や図８（ａ）に示す１３は、補強用の斜交いロッド（又はワイヤー）であって計８本装備されている。
【００２５】
３本の天井横臥梁１２は、図８（ｂ）に示すように、短縦梁９側（後壁ｗ２側）のものから長縦梁８側（前壁ｗ１側）に行くに従って配置高さが線形で僅かに高くなるように設定されており、屋根Ｙを形成するための単位波板ｙが３本の天井横臥梁１２及び短縦梁９側で上側の短横梁１０に載置固定された状態では、短縦梁９側ほど低くなる若干の傾斜が付くように設定されている。つまり、単位波板ｙに降る雨水を短縦梁９側にのみ流す片流れ式の屋根構造とされている。尚、長縦梁８側の上側の短横梁１０と短縦梁の上側の短横梁１０とは互いに同じ高さ位置に配置されているので、図８（ｃ）に仮想線で示すように、長縦梁８側の上側の短横梁１０のさらに上方に装備される横臥支柱１４を設け、傾斜状態で配置される単位波板ｙの長縦梁８側の端部が横臥支柱１４に載置支持されるように構成しても良い。
【００２６】
左端用及び右端用の各コンテナＣＬ，ＣＲは、前述の中間用コンテナＣ１に左又は右の側壁を加えたものである。左端用コンテナＣＬは、図９（ａ）に示すように、左側壁ｗ４の基礎壁構造体を構築すべく、左側で前後の長縦梁８，８それぞれの下端部どうしに亘って架設連結される下部長梁１６、上下複数の細長横支柱１７、及び前後複数の細縦支柱１８，１９が追加されている。右端用コンテナＣＲは、図９（ｂ）に示すように、右側壁ｗ５の基礎壁構造体を構築すべく、右側で前後の長縦梁８，８それぞれの下端部どうしに亘って架設連結される下部長梁１６、上下複数の細長横支柱１７、及び前後複数の細縦支柱１８，１９が追加されている。尚、７ａは窓７用の開口である。
【００２７】
前後左右の各壁ｗ１，ｗ２，ｗ４，ｗ５は一対の梁の間にサイディング等の壁材（壁部の一例）１５を張設することで構成されている。即ち、前壁ｗ１は、左右一対の長縦梁８，８の左右間に壁材１５を上下複数段に積層して取付けてあり、後壁ｗ２は、左右一対の短縦梁９，９の左右間に壁材１５を上下複数段に積層して取付けてある。また、左側壁ｗ４及び右側壁ｗ５は、長縦梁８と短縦梁９との前後間に壁材１５を上下複数段に積層して取付けてある。天井壁ｗ３は、屋根Ｙを形成するための単位波板ｙを設けておくのであるが、現場での組付け順序を考慮して、例えば、左端用コンテナＣＬの単位波板ｙのみ、その横幅をコンテナＣＬとしての横幅と同寸法に設定し、残りのコンテナＣ１〜Ｃ３及びＣＲにおいては、正面視において左側に重ね代分を突出させた幅広の単位波板ｙに設定しておく。
【００２８】
連結手段Ｒは、図６に示すように、隣合う梁どうし、例えば長縦梁８，８どうしのうちの一方の梁８に回り込む第１挟み部２０ａと他方の梁８に回り込む第２挟み部２０ｂとを有して隣合う梁どうし８，８に外装される挟み具２０と、第１挟み部２０ａと第２挟み部２０ｂと互いに押付けあう押圧機構２１と、を備えて構成されている。つまり、挟み具２０は、梁８の長手方向視でコ字状を為しており、連結手段Ｒは万力（バイス）構造のものに構成されている。
【００２９】
押圧機構２１は、第２挟み部２０ｂを第１挟み部２０ａに向けて強制移動可能となるように、挟み具２０に回し操作自在に螺装される雄ネジ２２と、その回し操作具２３とを設けて構成されている。ワッシャ状の第２挟み部２０ｂと雄ネジ２２とは、相対回動自在で、かつ、ネジ軸方向には一体移動する状態に連結（空回り連結）されているのが望ましい。各梁どうし８，８、１１，１１、９，９は角パイプ材で成り、かつ、挟み具２０が、その直線状の本体部２０ｃが梁どうし８，８の側壁に隙間無く沿えるように、本体部２０ｃが直線形状を呈するように形成されている。
【００３０】
次に、現場（コンテナハウスの設置場所）におけるコンテナハウスＡの作成方法について説明する。まず、４種類のコンテナＣＬ，Ｃ１（Ｃ３）、Ｃ２、ＣＲを予め工場にて作成しておき、それら工場生産された各コンテナＣＬ，Ｃ１（Ｃ３）、Ｃ２、ＣＲをトラック等で現場に運搬する運搬工程を行う。一方、ハウス設置現場においては、先に、コンテナハウスＡの基礎となるコンクリート床１を打設する床作成工程を行っておく。
【００３１】
現場にては、コンテナ設営工程を行うが、まず左端用コンテナＣＬをクレーン等の設置手段を用いてコンクリート床１の所定位置に設置するコンテナ設置工程その１を行う。左端用コンテナＣＬの設置後は、第１中間用コンテナＣ１を、その単位波板ｙの左突出部分が左端用コンテナＣＬの単位波板ｙの右端部分に上から重なるように、左端用コンテナＣＬに密着させながら吊り下ろし移動させるコンテナ設置工程その２を行う。
【００３２】
それから、左端用コンテナＣＬと第１中間用コンテナＣ１とにおいて隣合う梁と梁、即ち、長縦梁８，８どうし、長横梁１１，１１どうし、及び短縦梁９，９どうしを係止固定する第１コンテナ連結工程を行う。即ち、コンテナ連結工程は、図６に示す万力構造の連結手段Ｒを用い、挟み具２０が室内側部分を迂回する状態で梁と梁（例：長縦梁８，８どうし）に挟み込ませるように外装し、それから回し操作具２３を回して第２挟み部２０ｂを第１挟み部２０ａに近づく方向に強制移動させ、隣合う長縦梁８，８どうしを締め付けて相対的に係止固定させるのである。
【００３３】
この際、長縦梁８，８どうしの間に、隙間を埋めて密着させるためのクッション材２４を介装しておくのが好都合である。つまり、複数の連結本体２０を用いて、各梁どうし８，８、１１，１１、及び９，９どうしを係止固定させ、左端用コンテナＣＬと第１中間用コンテナＣ１とを連結一体化させる。コンテナＣＬ，Ｃ１〜Ｃ３，Ｃｒは、隣合う一対の梁８，８，９，９に亘って架設される壁部である壁材１５を有し、壁材１５を梁８，８，９，９における外側に寄せて配置することで梁８，８，９，９の室内側部分を露出させ、その梁８，８，９，９の室内側露出部分に連結手段Ｒを装着可能に構成されている
【００３４】
以後、上述と同様の作業を繰り返して、第２中間用コンテナＣ２を第１中間用コンテナＣ１に密着させてコンクリート床１に設置させるコンテナ設置工程その３、第１中間用コンテナＣ１と第２中間用コンテナＣ２とを連結手段２０を用いて連結させる第２コンテナ連結工程、第３中間用コンテナＣ３を第２中間用コンテナＣ２に密着させてコンクリート床１に設置させるコンテナ設置工程その４、第２中間用コンテナＣ２と第３中間用コンテナＣ３とを連結手段２０を用いて連結させる第３コンテナ連結工程、右端用コンテナＣＲを第３中間用コンテナＣ３に密着させてコンクリート床１に設置させるコンテナ設置工程その５、第３中間用コンテナＣ３と右端用コンテナＣＲとを連結手段２０を用いて連結させる第４コンテナ連結工程を行う。これによりコンテナ設営工程が終了し、５体のコンテナＣＬ，Ｃ１，Ｃ２，Ｃ３，ＣＲを連結一体化して成るコンテナハウスＡが完成する。
【００３５】
尚、各コンテナをコンクリート床１上において横移動（横ずらし）させて連結させる方法も可能であるが、その場合には波板で成る単位屋根ｙの組付けが不可となる。故に、工場から現場への輸送時には、単位波板ｙをコンテナ本体（コンテナから単位屋根ｙを除いた部分）に仮止めしておく仮止め手段か、或いは別体のものとして運搬してから現場にてコンテナ本体に組付ける現場組み手段かを適宜に選択することで可能となる。
【００３６】
〔別実施例〕
（１）連結手段Ｒとしては、図１０（ａ），（ｂ）に示すように、隣合う梁どうし、例えば短縦梁９，９どうしに亘って架設される連結板２５と、この連結板２５と各梁９，９とに跨って溶接されることによる溶着部２６とで構成されても良い。連結板２５は、角パイプ材による短縦梁９の側面９ａ，９ａに跨る上下に長い鋼板で形成されている。各短縦梁９，９の下端には、鋼板製で平面視で矩形を呈する底板９Ａが固着されており、それら底板９Ａ，９Ａどうしを密着させる状態にコンテナどうし（図示省略）が配置される。尚、連結板２５は、短縦梁９の室内側、或いは室外側のいずれに設けても良い。この場合でも、隣合う短縦梁９，９の間にクッション材（図示省略）を充填させても良い。また、コンテナ設置時には、コンクリート床１に植設されているボルト（図示省略）が、底板９Ａの孔９ｂに挿通されて締付固定できるように構成すれば好都合であり、この構成を図１〜図５に示すコンテナハウスＡに適用しても良い。
【００３７】
（２）連結手段Ｒは、挟み具２０がＵ字状を為す万力構造のものや、隣合うパイプ製梁に形成される孔を貫くボルト・ナットのみから成るもの、或いは、一方のコンテナに設けた上下向き穴に、他方のコンテナに設けた上下向きのバー材とで成り、他方のコンテナを若干持上げた上体からの落し込み移動によってバー材が穴に嵌り込み、相対的な横移動が阻止される構造の連結手段Ｒを採ることも可能である。
【００３８】
（３）コンクリート床１と各コンテナとの設置寸法誤差を小さく抑える点から、中央に位置する第２中間用コンテナＣ２を最初に設置し、それから第１及び第３中間用コンテナＣ１，Ｃ３を設置し、次いで左端用及び右端用コンテナＣＬ，ＣＲを設置する、という施工方法を採ることも可能である。この施工方法を採る場合には、第２中間用コンテナＣ２の単位屋根ｙの横幅寸法をコンテナとしての横幅と等しくしておき、第１及び左端用コンテナＣ１，ＣＬでは右側を右に突出させた単位屋根ｙを、かつ、第３及び右端用コンテナＣ３，ＣＲでは左側を左に突出させた単位屋根ｙをそれぞれ設けておくと良い。
【００３９】
（４）コンテナハウスＡの間取りとしては、種々の変更が可能であるが、例えば、図１１に示すように、第１中間用コンテナＣ１の５体を並列接続し、かつ、両端に大きく突出する上部庇２７を設けた洗車用ハウスＡに構成しても良い。この場合、図１１の紙面下側の３体の第１中間用コンテナＣ１のスペースが泡洗車場２８として活用し、図１１の紙面上側の２体の第１中間用コンテナＣ１のスペースがタッチアップスペース２９として活用される設定である。泡洗車場２８には、泡立機３０や、高圧スプレー機３１等が配備される。
【００４０】
（５）各コンテナＣＲ，Ｃ１〜Ｃ３，ＣＬは、隣合う長縦梁８と短縦梁９の下端部どうしに亘って架設される下側の長横梁３１（図７の仮想線を参照）を設けた構成としても良い。これにより、コンテナ単体としての強度アップを図るとか、長横梁３１の上側に床材を架設することで、コンクリート床１等の基礎床の無い現場でも床付のハウス仕様が構築できるといったことが可能になる。
【００４１】
（６）コンテナハウスＡは、例えば、左端用及び右端用コンテナＣＬ，ＣＲとの二つのコンテナの連結で成るものでも良く、また、平面視で縦横に複数ずつコンテナが連結される複合連結構造のコンテナハウスも可能である。
【図面の簡単な説明】
【００４２】
【図１】実施例１によるコンテナハウスの平面図
【図２】図１のコンテナハウスの正面図
【図３】図１のコンテナハウスの背面図
【図４】図１のコンテナハウスを示し、（ａ）は左側面図、（ｂ）は右側面図
【図５】図１のコンテナハウスの間取りを示す平面図
【図６】連結手段の構造を示す要部の一部切欠きの平面図
【図７】コンテナの種類を示し、（ａ）は左端用、（ｂ）は中間用、（ｃ）右端用
【図８】中間用コンテナの基礎骨格構成を示し、（ａ）は平面図、（ｂ）は側面図、（ｃ）は正面図、（ｄ）は背面図
【図９】コンテナの骨格構成を示し、（ａ）は左端用コンテナの左側面図、（ｂ）は右端用コンテナの右側面図
【図１０】別連結手段の要部を示し、（ａ）は一部切欠きの平面図、（ｂ）は正面図
【図１１】実施例２のコンテナハウスの間取りを示す平面図
【符号の説明】
【００４３】
８                      梁（長縦梁）
９                      梁（短縦梁）
１５                    壁部
２０                    挟み具
２０ａ                  第１挟み部
２０ｂ                  第２挟み部
２１                    押圧機構
２２                    雄ネジ
２５                    連結板
２６                    溶着部
Ａ                      コンテナハウス
ＣＬ，Ｃ１〜Ｃ３，ＣＲ  コンテナ
Ｒ                      連結手段
ｒｍ                    連結面
【図１】
2008261160.tif 000003
【図２】
2008261160.tif 000004
【図３】
2008261160.tif 000005
【図４】
2008261160.tif 000006
【図５】
2008261160.tif 000007
【図６】
2008261160.tif 000008
【図７】
2008261160.tif 000009
【図８】
2008261160.tif 000010
【図９】
2008261160.tif 000011
【図１０】
2008261160.tif 000012
【図１１】
2008261160.tif 000013